(57)【要約】      （修正有）【課題】倉庫内に保管される物品について、物品ごとに最適な温湿度で保管する。また、倉庫内を区画化して複数の空間とみなすと共に、空間ごとに温湿度を予測することにより、物品を適切に保管すると共に、倉庫内の温湿度管理に要するエネルギーコストを抑制する。【解決手段】品質管理装置１は、倉庫内の区画化された複数の空間ごとに、将来の一定期間における温湿度の予測値を算出する予測部11と、倉庫内に保管される物品ごとに、管理に適した温湿度に係る情報を記憶する物品情報DB１Bと、空間ごとに保管されている物品の情報を記憶する倉庫情報DB1Cとを有する。判別部12は、物品情報ＤＢ１B及び保管情報ＤＢ１Dを参照して、将来の一定期間内において、空間内の温湿度の予測値が管理に適した温湿度を逸脱する物品の有無を判別する。【選択図】図１
2019014551.tif 000002
【特許請求の範囲】
【請求項１】
倉庫内に保管されている物品の品質管理を行う装置であって、
上記倉庫内の区画化された複数の空間ごとに、将来の一定期間における温湿度の予測値を算出する予測手段と、
上記倉庫内に保管される物品ごとに、管理に適した温湿度に係る情報を記憶する物品情報記憶手段と、
上記空間ごとに保管されている物品の情報を記憶する倉庫情報記憶手段と、
上記物品情報記憶手段及び上記保管情報記憶手段を参照して、将来の一定期間内において、空間内の温湿度の予測値が管理に適した温湿度を逸脱する物品の有無を判別する判別手段と、を有する、
ことを特徴とする品質管理装置。
【請求項２】
温湿度の予測値を算出する基礎となる因子情報を記憶した因子情報記憶手段と、
上記因子情報の一つとして、自然要因の因子情報を受け付ける因子情報受付手段と、をさらに有し、
上記予測手段は、上記因子情報に基づき、上記倉庫内の区画された複数の空間ごとに、将来の一定期間における温湿度の予測値を算出する、
請求項１記載の品質管理装置。
【請求項３】
上記自然要因の因子情報は、天候の予測情報である、
請求項２記載の品質管理装置。
【請求項４】
将来の一定期間内において、空間内の温湿度の予測値が管理に適した温湿度を逸脱する所定の物品が存する場合に、上記物品情報記憶手段を参照して、温湿度の予測値が当該所定の物品の管理に適した温湿度の範囲内にある空間を検索する第一の検索手段、をさらに有する、
請求項１乃至３いずれかの項に記載の品質管理装置。
【請求項５】
上記空間ごとに、保管可能な物品の容量を記憶する保管情報記憶手段、をさらに有し、
上記物品情報記憶手段はさらに、上記倉庫内に保管される物品ごとに、上記倉庫内に保管される際に上記物品が空間を専有する容量を記憶し、
上記第一の検索手段は、将来の一定期間内において、空間内の温湿度の予測値が管理に適した温湿度を逸脱する所定の物品が存する場合に、上記物品情報記憶手段及び上記保管情報記憶手段を参照して、温湿度の予測値が当該所定の物品の管理に適した温湿度の範囲内にある空間であって、当該所定の物品を保管可能な容量を有する空間を検索する、
請求項４記載の品質管理装置。
【請求項６】
上記第一の検索手段による検索の結果、適切な空間が存しなかった場合に、上記物品情報記憶手段及び上記保管情報記憶手段を参照して、温湿度の予測値が上記所定の物品の管理に適した温湿度の範囲内にある空間であって、空間内に保管されている他の物品を他の空間へ移動させることにより、上記所定の物品を保管するための容量を確保できる空間を検索する第二の検索手段、をさらに有する、
請求項５記載の品質管理装置。
【請求項７】
将来の一定期間内において、空間内の温湿度の予測値が管理に適した温湿度を逸脱する所定の物品が存する場合に、管理者に対してアラートを通知するアラート手段、をさらに有する、
請求項１乃至６いずれかの項に記載の品質管理装置。
【請求項８】
アラート手段はさらに、管理者に対し、空間内の温湿度の予測値が管理に適した温湿度を逸脱する上記所定の物品を、検索された空間へ移動させることを指示する、
請求項７記載の品質管理装置。
【請求項９】
倉庫内に保管されている物品の品質管理を行う方法であって、
上記倉庫内に保管される物品ごとに、管理に適した温湿度に係る情報を記憶する物品情報記憶手段と、
上記倉庫内の区画化された複数の空間ごとに保管されている物品の情報を記憶する倉庫情報記憶手段と、を有するコンピュータにより、
上記空間ごとに、将来の一定期間における温湿度の予測値を算出する処理と、
上記物品情報記憶手段及び上記保管情報記憶手段を参照して、将来の一定期間内において、空間内の温湿度の予測値が管理に適した温湿度を逸脱する物品の有無を判別する処理と、を実行する、
ことを特徴とする品質管理方法。
【請求項１０】
倉庫内に保管されている物品の品質管理を行うためのコンピュータプログラムであって、
上記倉庫内に保管される物品ごとに、管理に適した温湿度に係る情報を記憶する物品情報記憶手段と、
上記倉庫内の区画化された複数の空間ごとに保管されている物品の情報を記憶する倉庫情報記憶手段と、を有するコンピュータに対し、
上記空間ごとに、将来の一定期間における温湿度の予測値を算出する処理と、
上記物品情報記憶手段及び上記保管情報記憶手段を参照して、将来の一定期間内において、空間内の温湿度の予測値が管理に適した温湿度を逸脱する物品の有無を判別する処理と、を実行させる、
コンピュータプログラム。
【発明の詳細な説明】
【技術分野】
【０００１】
本発明は、物品を倉庫内に適切な温湿度で保管することにより、物品の品質を管理する技術に関する。
【背景技術】
【０００２】
近年、医薬品の在庫管理は、保管に厳しい基準が適用される方向に進んでいる。
そもそも医薬品の保管には、温湿度に十分な注意を払う必要があるが、倉庫内の温湿度は天候や倉庫内の構造等、様々な要因によって場所ごと変わり、一様でない。
一方、倉庫内を厳密に一定の温湿度に維持することは難しく、そのためのコストも無視できない。そのため、倉庫内の温度や湿度を計測する手法が各種提案されている。
【０００３】
例えば、特許文献１では、所定数の物理量センサ、加速度センサおよびカウンタを備えた物理量測定体を用いて、所定の空間の物理量分布を測定する空間物理量分布測定方法であって、前記所定の空間をあらかじめ番号が付された小空間に分割し、前記小空間に付された番号と前記カウンタの数値を対応づけ、前記空間において前記小空間に付された番号順に前記物理量測定体を移動させて、前記物理量センサにより前記空間の物理量を継続して測定し、前記物理量測定体を移動させる際に、前記物理量測定体に加速度を与えて、前記加速度センサが所定値を検知した場合に、前記カウンタの数値を所定数だけ変化させ、前記カウンタの数値における前記物理量センサによる測定値を取得し、前記カウンタの数値をもとに、前記小空間と前記物理量センサによる測定値を関連づけ、前記空間の物理量分布を測定することを特徴とする空間物理量分布測定方法が提案されている。
また、特許文献２では、計測対象の空間内を移動する台車と、前記台車に設置されて前記空間内の各点における空間温度を検出する温度センサと、前記温度センサの出力信号を処理して前記空間温度を演算する演算部と、を備えていることを特徴とする空間温度計測装置が提案されている。
また、特許文献３では、光パルスを出射するレーザ光源と、複数の測定ポイントを通るように配置され、前記光パルスを入力される光ファイバと、前記光ファイバから出力される後方散乱光を検出して、前記複数の測定ポイントにおける温度を測定して測定温度データを取得する測定装置を備え、前記測定装置は、前記光ファイバの注目位置を基準とした範囲内で時系列の差分温度データが空間的または時間的な相関を有するか否かに応じて、前記測定温度データの時間方向の平均化の度合を変えて補正した補正温度データを算出することを特徴とする、温度測定システムが提案されている。
【０００４】
【特許文献１】特開２０１４−２１５０６３号公報
【特許文献２】特開２０１１−１１２４７０号公報
【特許文献３】特開２０１６−１５１５０５号公報
【発明の開示】
【発明が解決しようとする課題】
【０００５】
しかしながら、倉庫内に保管する物品は、その種類や性質に応じて管理に最適な温湿度が異なるし、物品を保管する倉庫についても、倉庫内の空間ごとに温湿度が異なる。
【０００６】
そこで、本発明は、倉庫内に保管される物品について、物品ごとに最適な温湿度で保管することを目的とする。また、倉庫内を区画化して複数の空間とみなすと共に、空間ごとに温湿度を予測することにより、物品を適切に保管すると共に、倉庫内の温湿度管理に要するエネルギーコストを抑制することを目的とする。
【課題を解決するための手段】
【０００７】
上記目的を達成するため、本発明の一の観点に係る品質管理装置は、倉庫内に保管されている物品の品質管理を行う装置であって、上記倉庫内の区画化された複数の空間ごとに、将来の一定期間における温湿度の予測値を算出する予測手段と、上記倉庫内に保管される物品ごとに、管理に適した温湿度に係る情報を記憶する物品情報記憶手段と、上記空間ごとに保管されている物品の情報を記憶する倉庫情報記憶手段と、上記物品情報記憶手段及び上記保管情報記憶手段を参照して、将来の一定期間内において、空間内の温湿度の予測値が管理に適した温湿度を逸脱する物品の有無を判別する判別手段と、を有することを特徴とする。
【０００８】
また、温湿度の予測値を算出する基礎となる因子情報を記憶した因子情報記憶手段と、上記因子情報の一つとして、自然要因の因子情報を受け付ける因子情報受付手段と、をさらに有し、上記予測手段は、上記因子情報に基づき、上記倉庫内の区画された複数の空間ごとに、将来の一定期間における温湿度の予測値を算出するものとしてもよい。
【０００９】
また、上記自然要因の因子情報は、天候の予測情報であるものとしてもよい。
【００１０】
また、将来の一定期間内において、空間内の温湿度の予測値が管理に適した温湿度を逸脱する所定の物品が存する場合に、上記物品情報記憶手段を参照して、温湿度の予測値が当該所定の物品の管理に適した温湿度の範囲内にある空間を検索する第一の検索手段、をさらに有するものとしてもよい。
【００１１】
また、上記空間ごとに、保管可能な物品の容量を記憶する保管情報記憶手段、をさらに有し、上記物品情報記憶手段はさらに、上記倉庫内に保管される物品ごとに、上記倉庫内に保管される際に上記物品が空間を専有する容量を記憶し、上記第一の検索手段は、将来の一定期間内において、空間内の温湿度の予測値が管理に適した温湿度を逸脱する所定の物品が存する場合に、上記物品情報記憶手段及び上記保管情報記憶手段を参照して、温湿度の予測値が当該所定の物品の管理に適した温湿度の範囲内にある空間であって、当該所定の物品を保管可能な容量を有する空間を検索するものとしてもよい。
【００１２】
また上記第一の検索手段による検索の結果、適切な空間が存しなかった場合に、上記物品情報記憶手段及び上記保管情報記憶手段を参照して、温湿度の予測値が上記所定の物品の管理に適した温湿度の範囲内にある空間であって、空間内に保管されている他の物品を他の空間へ移動させることにより、上記所定の物品を保管するための容量を確保できる空間を検索する第二の検索手段、をさらに有するものとしてもよい。
【００１３】
また、将来の一定期間内において、空間内の温湿度の予測値が管理に適した温湿度を逸脱する所定の物品が存する場合に、管理者に対してアラートを通知するアラート手段、をさらに有するものとしてもよい。
【００１４】
また、アラート手段はさらに、管理者に対し、空間内の温湿度の予測値が管理に適した温湿度を逸脱する上記所定の物品を、検索された空間へ移動させることを指示するものとしてもよい。
【００１５】
また、本発明の別の観点に係る品質管理方法は、倉庫内に保管されている物品の品質管理を行う方法であって、上記倉庫内に保管される物品ごとに、管理に適した温湿度に係る情報を記憶する物品情報記憶手段と、上記倉庫内の区画化された複数の空間ごとに保管されている物品の情報を記憶する倉庫情報記憶手段と、を有するコンピュータにより、上記空間ごとに、将来の一定期間における温湿度の予測値を算出する処理と、上記物品情報記憶手段及び上記保管情報記憶手段を参照して、将来の一定期間内において、空間内の温湿度の予測値が管理に適した温湿度を逸脱する物品の有無を判別する処理と、を実行することを特徴とする。
【００１６】
また、本発明のさらに別の観点に係るコンピュータプログラムは、倉庫内に保管されている物品の品質管理を行うためのコンピュータプログラムであって、上記倉庫内に保管される物品ごとに、管理に適した温湿度に係る情報を記憶する物品情報記憶手段と、上記倉庫内の区画化された複数の空間ごとに保管されている物品の情報を記憶する倉庫情報記憶手段と、を有するコンピュータに対し、上記空間ごとに、将来の一定期間における温湿度の予測値を算出する処理と、上記物品情報記憶手段及び上記保管情報記憶手段を参照して、将来の一定期間内において、空間内の温湿度の予測値が管理に適した温湿度を逸脱する物品の有無を判別する処理と、を実行させる。
【発明の効果】
【００１７】
本発明によれば、倉庫内に保管される物品について、適切な環境条件での保管のための情報が取得でき、その情報に基づき、保管する物品の再配置や空調利用の最適化を行うことができる。また、倉庫内が区画化された複数の空間とみなされ、空間ごとの温湿度が予測されるので、物品をより適切に保管できるし、物品を空間同士で移動等させることにより、倉庫内の温湿度の調整量を減らし、管理に要するエネルギーコストを抑制したり、空調費用の節約をしたりすることができる。
【図面の簡単な説明】
【００１８】
【図１】本発明の実施形態に係る品質管理装置が備える機能を示した機能ブロック図である。
【図２】本実施形態に係る委託者情報DBに記憶されるデータの一例を示した図である。
【図３】本実施形態に係る物品情報DBに記憶されるデータの一例を示した図である。
【図４】本実施形態に係る倉庫情報DBに記憶されるデータの一例を示した図である。
【図５】本実施形態に係る保管情報DBに記憶されるデータの一例を示した図である。
【図６】本実施形態に係る予測情報DBに記憶されるデータの一例を示した図である。
【図７】本実施形態に係る品質管理装置において、予測部によって算出される将来の所定の日時における温湿度のうち、温度変化を表したグラフの一例を示した図である。
【図８】本実施形態に係る品質管理装置によって実行される処理の流れを示した処理フロー図である。
【図９】本実施形態に係る予測情報の出力例を示した図である。
【発明を実施するための形態】
【００１９】
以下、本発明の実施形態に係る品質管理装置について、図を参照して説明する。
図１に示される品質管理装置は、倉庫内に保管されている物品の品質管理を行う装置であり、委託者からの委託に応じて物品を預かり、物品を倉庫内にて管理する管理者の元に設置された装置である。
【００２０】
この品質管理装置は例えば、CPU (Central Processing Unit)などの演算装置、CPUによって実行されるコンピュータプログラム、RAM (Random Access Memory)やROM (Read Only Memory)、HDD (Hard Disk Drive)等を備えたサーバコンピュータ等からなり、委託者情報DB1A、物品情報DB1B、倉庫情報DB1C、保管情報DB1D、予測情報DB1E、予測部１１、判別部１２、検索部１３、アラート部１４、指示部、通信処理部１５、入出力処理部１６からなる機能ブロックを構成する。
【００２１】
委託者情報DB1Aは、物品の保管を委託する委託者に関する情報を記憶する記憶部である。
この委託者情報DB1Aには図２の例に示されるように、委託者を識別する委託者IDごとに、委託者の名称や連絡先といった委託者詳細情報、契約容量、物品IDに係る情報が相互に関連付けて記憶されている。
【００２２】
ここで、契約容量とは、管理者の倉庫内において、委託者が物品を保管できる容量であって、管理者と委託者との契約によって定められたものである。委託者は、この契約容量の範囲内で管理者に物品の管理を依頼することができ、管理者は、委託者の求めに応じて、当該契約容量の範囲内で物品を倉庫内に保管する。従来、物品の保管の委託においては、委託者が倉庫内の特定のエリアを借り受け、当該エリア内で委託者の物品が保管されていたが、本例では倉庫内のエリアに関わらず、委託者は契約で定められた容量の範囲内で物品の管理を管理者に委託し、管理者はこれに応じて物品を倉庫内に保管する。
【００２３】
また、物品IDは、委託者が管理者に対して保管を委託した物品を識別可能な情報であって、当該物品IDを参照することにより、委託者が管理者に保管を依頼している物品を識別することができる。
【００２４】
物品情報DB1Bは、倉庫内に保管される物品ごとに、管理に適した温湿度に係る情報を記憶する記憶部である。
この物品情報DB1Bには図３の例に示されるように、物品を識別可能な物品IDに関連付けて、物品の管理を委託している委託者の委託者ID、物品の管理に適した温湿度を示す適正温湿度、物品の内容、倉庫内に物品を保管した場合に当該物品が専有する容量に係る情報が記憶される。
【００２５】
ここで、適正温湿度は、物品の管理上、適正な温度及び湿度であり、物品の性質等に応じて異なるものである。この適正温湿度は通常、一定の幅をもった数値範囲として構成され、例えば、「温度5℃〜25℃、湿度0％〜60％」といった数値範囲からなる。
【００２６】
物品ごとの専有容量は、これを参照することにより、委託者が委託する各物品の専有容量を合算して、委託者が保管を委託している合計容量を算出することができる。この合計容量と委託者が管理者と契約している倉庫内の契約容量とを対比することにより、委託者が保管を委託している量が、契約で定められた量を超えていないか否か、あるいは委託者が契約の範囲内でさらにどの程度の量の物品の保管を委託することができるのかを把握することができる。
なお、本発明の実施に関して、衛生面等の実際的な事情はあるが、技術的な側面では物品の種類が特に限定されることはない。
【００２７】
倉庫情報DB1Cは、倉庫内に物品を保管する際に参照される情報として、倉庫内の空間ごとに、保管可能な物品の容量や温湿度を予測するための情報を記憶する。
この倉庫情報DB1Cには図４の例に示されるように、倉庫を識別する倉庫IDに関連付けて、倉庫内の区画化された複数の空間を個々に識別する空間ID、当該空間の容量、当該空間における過去の温湿度の計測値に係る過去計測値、当該空間における因子情報が記憶されている。
【００２８】
ここで、同じ倉庫内であっても、出入口や空調設備が近くにあるか否か、北側か南側かといった事情により、倉庫内の温湿度は場所によって変わり得ることから、倉庫内を複数の空間に区画化し、空間ごとに温湿度を予測、管理することにより、適正な物品の管理を実現するができる。
【００２９】
空間の容量は、当該空間に保管可能な物品の合計容量となる。そのため、所定の空間に物品を保管した際、当該空間の容量から保管されている物品の容量を減じることにより、残りどの程度の容量の物品を当該空間に保管できるかを把握することができる。
【００３０】
過去計測値は、過去の温湿度の計測値であり、所定の空間における将来の温湿度を予測する際、この過去計測値を参照することで、温湿度の予測がより正確なものとなる。
因子情報は、空間の温湿度に影響を与え得る因子に関する情報である。この因子情報には、環境要因、人事活動要因、及び自然要因に基づくものがある。環境要因としては例えば、空調の稼働状態や出入口に近いか否か、人が行き来する通路に面しているか否かなど、空間の位置的な特性に関することが挙げられる。また、人事活動要因としては例えば、出入口における人の出入りの頻度など、人の活動に関することが挙げられる。自然要因としては、季節や天候などの自然に関することが挙げられる。これらの因子情報はいずれも係数化され、温湿度の予測値を算出する際に用いられる。
【００３１】
保管情報DB1Dは、倉庫内の空間ごとに保管されている物品の情報を記憶する。
この保管情報DB1Dには図５の例に示されるように、倉庫を識別する倉庫ID、倉庫内の空間を識別する空間ID、空間に保管されている物品を識別する物品ID、空間に保管可能な物品の容量に係る保管可能容量に関する情報が相互に関連付けて記憶される。
【００３２】
ここで、保管可能容量は、空間に保管可能な物品の容量から、空間に保管されている各物品の専有容量を減じることによって求められる。
【００３３】
予測情報DB1Eは、倉庫内の温湿度の予測値を記憶する記憶部である。
この予測情報DB1Eには図６の例に示されるように、倉庫を識別する倉庫IDに関連付けて、空間を識別する空間ID、将来の所定の日時における各空間の温湿度に係る情報が記憶される。
【００３４】
ここで、将来の所定の日時における温湿度は、後述する予測部１１によって算出され、図７の例に示されるグラフとして管理者に提供することができる。
図７は温湿度のうちの温度変化を表したグラフであり、横軸は時間経過を示し、縦軸はお温度変化を示す。ここで、所定の日時における温度は、一定の幅をもった数値範囲（A、B）で示されている。数値範囲Aは、予測される温度が約７０％の確率でこの範囲で発生することを示しており、数値範囲Bは、予測される温度が約９８％の確率でこの範囲が発生することを示している。また、最も予測される温度が、グラフ中の線ｍによって示されている。
【００３５】
予測部１１は、倉庫内の区画化された複数の空間ごとに、将来の一定期間における温湿度の予測値を算出する。
この予測部１１は、因子情報に基づき、倉庫内の区画された複数の空間ごとに、将来の一定期間における温湿度の予測値を算出する。予測値の算出においては例えば、倉庫の中で異常値が発生するワーストポイントを洗い出し、そこにセンサーを配設する。そして、センサーによって計測された温湿度からの他の空間における温湿度の予測値を算出する。
【００３６】
判別部１２は、物品情報DB1B及び保管情報DB1Dを参照して、温湿度の予測値に基づき、将来の一定期間内において、空間内の温湿度の予測値が管理に適した温湿度を逸脱する物品の有無を判別する。
【００３７】
検索部１３は、将来の一定期間内において、空間内の温湿度の予測値が管理に適した温湿度を逸脱する物品が存する場合に、物品情報DB1B及び保管情報DB1Dを参照して、温湿度の予測値が当該物品の管理に適した温湿度の範囲内にある空間であって、当該物品の保管に必要な保管可能容量を有する空間を検索する第一の検索処理を実行する。
【００３８】
検索部１３はさらに、空間内の温湿度の予測値が管理に適した温湿度を逸脱する物品について、第一の検索処理の結果、温湿度の予測値が当該物品の管理に適した温湿度の範囲内にある空間が存する一方、当該物品を保管可能な容量を有する空間が存しなかった場合には、第二の検索処理を実行する。第二の検索処理では、検索部１３は空間内の温湿度の予測値が管理に適した温湿度を逸脱する物品について、物品情報DB1B及び保管情報DB1Dを参照して、温湿度の予測値が当該物品の管理に適した温湿度の範囲内にある空間であって、空間内に保管されている他の物品を他の空間へ移動させることにより、当該物品を保管するための容量を確保できる空間を検索する。
【００３９】
この検索部１３による処理の具体例を示す。即ち、所定の空間に保管されている物品Aについて、適正な温湿度が「温度0℃〜20℃、湿度0％〜50％」、専有容量が3m3である場合において、翌日の当該所定の空間の温湿度が「温度15℃〜23℃、湿度25％〜40％」と予測されたとする。このとき、検索部１３は第一の検索処理として、翌日に予測される温湿度が、物品Aにとって適正な温湿度「温度0℃〜20℃、湿度0％〜50％」の範囲にある空間であって、物品Aの専有容量3 m3を保管可能用容量として有する空間を検索する。
【００４０】
さらに、第一の検索処理の結果、適切な空間が見つからなかった場合には、物品情報DB1B及び保管情報DB1Dを参照して、温湿度の予測値が物品Aの管理に適した温湿度の範囲内にある空間であって、空間内に保管されている他の物品を他の空間へ移動させることにより、上記所定の物品を保管するための容量を確保できる空間を検索する。この処理ではまず、温湿度の予測値が物品Aの管理に適した温湿度の範囲内にある空間（例えば、空間A）を特定する。そして、当該空間に保管されている他の物品について、当該物品の管理に適した温湿度と当該物品の専有容量に基づき、当該物品を適切な温湿度で保管できると共に、当該物品を保管可能な保管可能容量を備える空間があるか否かを判別する。これにより、他の物品（例えば、物品B）を他の空間（例えば、空間B）に移動させることによって、空間B内に物品Aを保管することができる場合には、空間Aに保管されている物品Bを空間Bへ移動させることによって、倉庫内の全ての物品を適切に保管しつつ、物品Aを空間Aで適切に保管することが可能であることがわかる。
【００４１】
アラート部１４は、将来の一定期間内において、空間内の温湿度の予測値が管理に適した温湿度を逸脱する物品が存する場合に、管理者に対してアラートを通知する。
このアラート部１４はさらに、管理者に対し、空間内の温湿度の予測値が管理に適した温湿度を逸脱する物品を、検索部１３によって検索された適切な空間へ移動させることを指示する。
【００４２】
通信処理部１５は、外部のサーバあるいはデータベース等とインターネット等のネットワークNWを介したデータの送受信処理を実行するための機能部である。
この通信処理部１５により、例えば、因子情報の一つとして、自然要因の因子情報である天候の予測情報を格納した因子情報DB2Aから、当該因子情報を受信することができる。
【００４３】
入出力処理部１６は、品質管理装置の各機能部によって実行された処理の結果を出力したり、各機能部の処理に必要なデータを入力したりするための機能部であって、具体的にはディスプレイやキーボード等によって実現される。
この入力処理部からも、因子情報を受け付けることができる。
【００４４】
なお、本例では、品質管理装置はインターネット等のネットワークNWを介して、因子情報DB2Aと通信可能に構成されており、因子情報DB2Aには、因子情報の一つとして、自然要因の因子情報である天候の予測情報が格納されている。品質管理装置はこの因子情報DB2Aにアクセスして随時、天候の予測情報を取得することができる。
【００４５】
続いて、本実施形態に係る品質管理装置によって実行される処理の流れについて、図８を参照して説明する。
まず、品質管理装置は随時、倉庫内の温湿度の予測値を算出するための基礎となる因子情報を受け付ける（S101）。因子情報には、環境要因、人事活動要因、及び自然要因のものがあり、これらの情報の受け付けは例えば、インターネット等のネットワークNWを介して通信可能に構成された因子情報DB2A等の外部データベースからの受信や、入出力部からの入力によることができる。
【００４６】
予測部１１は、因子情報に基づき、倉庫内の区画化された複数の空間ごとに、将来の一定期間における温湿度の予測値を算出する（S102）。
算出された予測値は、予測情報として予測情報DB1Eに記憶される（S103）。
【００４７】
判別部１２は、予測情報DB1E、物品情報DB1B、及び保管情報DB1Dを参照して、温湿度の予測値に基づき、将来の一定期間内において、空間内の温湿度の予測値が管理に適した温湿度を逸脱する物品の有無を判別する（S104）。
【００４８】
判別の結果、将来の一定期間内において、空間内の温湿度の予測値が管理に適した温湿度を逸脱する物品（以下、物品Aとする）が存した場合には、検索部１３は、物品情報DB1B及び保管情報DB1Dを参照して、温湿度の予測値が当該物品Aの管理に適した温湿度の範囲内にある空間であって、当該物品Aの保管に必要な保管可能容量を有する空間を検索する（S105）。
【００４９】
検索の結果、物品Aを適切な温湿度で保管することのできる空間（以下、空間Aとする）が存した場合には、アラート部１４は管理者に対し、将来の一定期間内において、空間内の温湿度の予測値が管理に適した温湿度を逸脱する物品Aが存する旨のアラートを出すと共に、空間Aへ当該物品Aを移動させることを指示する（S106）。
【００５０】
一方、S105による処理の結果、物品Aについて、温湿度の予測値が当該物品Aの管理に適した温湿度の範囲内にある空間が存する一方、その空間には当該物品Aを保管可能な保管可能容量がなかった場合、検索部１３はさらに、物品情報DB1B及び保管情報DB1Dを参照して、物品Aの管理に適した温湿度の範囲内にある空間について、当該空間内に保管されている物品を他の空間へ移動させることにより、物品Aを保管するための容量を確保できるか否かを判別する（S107）。即ち、物品Aの管理の管理に適した温湿度の範囲内にある空間Bにおいて、空間Bに保管されている物品Bを他の空間Cへ移動させることにより、空間B内に物品Aを保管するための保管可能容量を確保できるかどうかを判別する。
【００５１】
このとき検索部１３は、空間Cへ移動させる物品Bについても、空間Cにおいて、物品Bのための保管可能容量が確保され、適切な温湿度の範囲で管理可能であるかを判別し、空間Cにおいて物品Bを適切に保管できる場合にのみ、物品Aを空間Bで保管可能と判断する。
【００５２】
なお、物品Aを適切な温湿度の範囲で保管可能な空間を検索する際には、複数の物品を移動させることによって、所定の空間に物品Aを保管可能な保管可能容量を確保できるかどうかを判別することもできるし、当該所定の空間内に保管されている物品と物品Aの保管空間を交換することによって適切に保管できるかどうかを判別することもできる。
【００５３】
検索の結果、物品Bの保管空間を空間Bから空間Cへ移動させることにより、物品Aを空間Bで適切に保管でき、さらに物品Bについても空間Cで適切に保管することができることがわかった場合には、アラート部１４により、管理者に対してその旨の指示と共にアラートが出される（S108）。
【００５４】
他方、S107の処理によっても、物品Aを適切な温湿度の範囲で管理できる空間が見つからなかった場合には、アラート部１４により、管理者に対してアラート共に、空間の温湿度の調整要求が出される（S109）。
空間の温湿度の調整の要求は、物品Aが保管されている空間について、物品Aを最適な温湿度で保管可能な温湿度に設定する旨を要求するものであってもよいし、物品Aを他の空間へ移動させつつ、当該他の空間における温湿度の調整を要求させるものであってもよい。即ち、物品Aを他の空間へ移動させつつ、当該他の空間における温湿度の調整することにより、倉庫全体として温湿度の調整の幅が小さければ、温湿度の調整のための電気等のコストを抑えることができる。
【００５５】
本実施形態に係る品質管理装置１によれば、倉庫内に保管される物品について、物品ごとに最適な温湿度で保管することができる。また、倉庫内が区画化された複数の空間とみなされ、空間ごとの温湿度が予測されるので、物品をより適切に保管できるし、物品を空間同士で移動等させることにより、倉庫内の温湿度の調整量を減らし、管理に要するエネルギーコストを抑制することができる。
【００５６】
以上の本実施形態において、管理者に物品の管理状況を通知する画面の一例を図９に示す。
この例では、物品Ａについて、現在の保管場所、適正温湿度、及び専有容量が示されている。また、将来の一定の期間において、物品Ａが保管されている空間の予測温湿度が示されており、物品Ａに適した温湿度を超える温湿度の項目に対しては、色分け表示や強調表示など、識別効果が付される。
また、物品Ａに適した温湿度を超える日時がある場合には、検索部１３によって検索された、他に保管可能な空間の情報が示される。この図９の例では、Ａ００２とＡ００３で識別される空間に物品Ａを移動させることで、物品Ａを適切な温湿度で保管することが把握可能となっている。そのほか、Ａ００５で識別される空間においては、Ａ００５で識別される空間に保管されている物品Ｃと物品Ａとを交換した場合に、物品Ａを適切な温湿度で保管することが把握可能となっている。さらに、Ａ００７で識別される空間においては、Ａ００７で識別される空間に保管されている物品Ｄを空間Ａへ移動させた場合に、Ａ００７で識別される空間で物品Ａを適切な温湿度で保管することが把握可能となっている。
【００５７】
なお、温湿度の予測値の算出においては、上述した因子情報のほか、各種のものを組み込むことができる。例えば、業務時間記録、貨物搬出履歴、人の立入情報といった業務記録に係る情報や、電力、照明点灯、空調といった環境制御に係る情報などを適宜に組み込むことができる。
【００５８】
また、上述の本実施形態においては、物品を適切に保管すべく、管理者に対して物品移動等の指示を伴うアラートを出すものとしたが、倉庫内に物品の搬送等を担う装置を配置することで、当該アラートに係る情報に基づき、自動的に物品を移動、管理させることができるようにすることもできる。
【００５９】
また、上述の本実施形態の検索部１３は第一の検索処理により、将来の一定期間内において、空間内の温湿度の予測値が管理に適した温湿度を逸脱する物品が存する場合に、物品情報DB1B及び保管情報DB1Dを参照して、温湿度の予測値が当該物品の管理に適した温湿度の範囲内にある空間であって、当該物品の保管に必要な保管可能容量を有する空間を検索する。この点、他の実施例においては、管理者に対し、空調を調整又は制御することにより、空間内の温湿度の予測値を管理に適した温湿度とする対応を提案することもできる。
【００６０】
即ち、予測部１１が将来の一定期間における所定の空間の温湿度の予測値を算出した結果、当該所定の空間内の温湿度の予測値が管理に適した温湿度を逸脱する物品が存する場合に、当該将来の一定期間内においても当該物品の管理に最適な温湿度を維持することのできる空調の調整又は制御の内容（調整値又は制御値）を逆算する。予測部１１は、将来の一定期間における空間の温湿度を予測する際に、空調の調整又は制御の内容を因子情報の一つとして組み入れているため、空調の調整又は制御の内容の変化によって、将来の温湿度の予測値がどのように変化するかも把握することができる。
【００６１】
上述の図８を参照して説明したシーケンスであれば、S105、S107による処理において、物品の保管空間を変更することなく、物品を最適な温湿度で管理することのできる空調の調整又は制御の内容を算出する。そして、S106又はS108のそれぞれの処理において、他の空間の情報又は保管空間の変更に係る情報と共に、空調の調整又は制御の内容を提案する。この場合において、管理者が空調の調整又は制御の内容の変更を要求したときは、これに応じて自動的に空調を調整又制御するようにしてもよい。
管理者としては、物品を最適な温湿度の範囲に管理するにあたり、物品の移動のみならず、空調の調整又は制御も提案されれば、いずれかの方法を選択すればよく、状況や事情に応じた対応が可能である。
【符号の説明】
【００６２】
１      品質管理装置
１１    予測部
１２    判別部
１３    検索部
１４    アラート部
１５    通信処理部
１６    入出力処理部
１Ａ    委託者情報DB
１Ｂ    物品情報ＤＢ
１Ｃ    倉庫情報ＤＢ
１Ｄ    保管情報ＤＢ
１Ｅ    予測情報ＤＢ
２Ａ    因子情報ＤＢ
ＮＷ    ネットワーク
【図１】
2019014551.tif 000003
【図２】
2019014551.tif 000004
【図３】
2019014551.tif 000005
【図４】
2019014551.tif 000006
【図５】
2019014551.tif 000007
【図６】
2019014551.tif 000008
【図７】
2019014551.tif 000009
【図８】
2019014551.tif 000010
【図９】
2019014551.tif 000011